Podtech/llm-jp-corpus-v4-ja_patent huggingface dataset:
(57)【要約】【課題】解決しようとする課題は、従来の位置決め固定ピンは投入側からの系止及び、系止解除操作が難しく且つ、容易に締結力を持たせ難かった欠点の解決を課題とする。【解決手段】本発明は、課題の解決手段をバネと従来の位置決め固定ピンを一体化し、バネの特性である弾性エネルギーによる復元力を利用し、可能となる手段。【選択図】図３
2014159852.tif 000002
【特許請求の範囲】
【請求項１】
締結ピンで締結方法及び、締結維持方法を簡単且つ、確実に行う事の出来る、一部円形の形を有しバネの弾性エネルギーを利用し且つ、バネとピンを一体又は、一体化することを特微とする締結ピン。
【発明の詳細な説明】
【技術分野】
【０００１】
本発明は、取り外し容易な位置決め固定ピンに関するものである。
【背景技術】
【０００２】
従来の位置決め固定ピンは、挿入側からの系止及び、系止解除操作が難しく容易に締結力を持たせ難かった。
【先行技術文献】
【特許文献】
【０００３】
【特許文献１】不明
【非特許文献】
【０００４】
【非特許文献１】不明
【発明の概要】
【発明が解決しようとする課題】
【０００５】
課題は、位置決め固定ピンの系止及び、系止解除操作が容易に且つ、締結力に優れる位置決め固定ピンを提供する事である。
【課題を解決するための手段】
【０００６】
本発明は、課題の解決手段をバネと従来の位置決めピンを一体化し、バネの特性である弾性エネルギーによる復元力を利用し、可能となる解決手段を最も主要な特徴とする。
【図面の簡単な説明】
【０００７】
【図１】締結ピンの正面図（挿入側）、裏面図及び、Ａ−Ａ切断面を表した図。
【図２】締結ピンの説明図面。締結ピンは１、２、３の集合体。
【図３】締結ピンが系止状態に至るまでの状態の説明図。Ｓ１図は系止開始時の状態、Ｓ２図、Ｓ３図を経て、Ｓ４図で系止完了。
【発明を実施するための形態】
【０００８】
実施する形態で、２ 板バネの円形部内径は、５外側丸パイプの外径に同じかそれより僅かに大きい径とする。
【０００９】
図３、Ｓ１図で締結ピンを正面側（挿入側）から裏面側方向にＳ２図まで挿入。この状態までは、２ バネには外力はかからない且つ、先端の細くなっている１ ピンは裏面側６ ピン貫通孔に導かれる。
【００１０】
図３、Ｓ２図からＳ３図で２ バネは挿入方向の外力で上下に変形し弾性エネルギーが生じ、Ｓ３図でその変形による弾性エネルギーは最大となる。
【００１１】
図３、Ｓ３図からＳ４図で更なる裏面方向への外力でバネの弾性エネルギーは除々に失われ、裏面方向への外力を停止して、Ｓ４図の締結完了となる。
【００１２】
図３、Ｓ４図における締結状態の締結ピンは意図的な外力（裏面側から正面側への力）が加わらない限り、２ バネの弾性エネルギーにより振動等による締結ビンの脱落を防止する。
【００１３】
締結解除は裏面側から正面側へ締結ピンを押し込むか，正面側から締結ピンを引き抜く事で完結する。
【符号の説明】
【００１４】
１ ピン
２ 板バネ
３ 板バネ固定用ナット
４ 内側丸パイプ
５ 外側丸パイプ
６ ピン貫通孔
【図１】
2014159852.tif 000003
【図２】
2014159852.tif 000004
【図３】
2014159852.tif 000005
(57)【要約】      （修正有）【課題】撥水処理を施したガラスの、撥水剤をおとさずに水のみを落とすために、空気だまりを利用したワイパーゴムを提供する。【解決手段】ワイパーのゴム土台１に円周状にワイパーゴムはけ２を配置する。ワイパーのゴム土台１に穴３をあけ、その穴を通じ空気だまり６にエアホース４を使いコンプレッサー５にて圧縮空気を送り込む。ワイパーゴムはけ２が浮かぶためにガラス面６との接触抵抗がなく、雨水のみを吹き飛ばすことができ、撥水コート剤をはき落として撥水効果を低下させることがない。【選択図】図１
2014159259.tif 000002
【特許請求の範囲】
【請求項１】
ワイパーはけ部を円周状に配置し、内部に空気だまりを設け圧縮空気を使いワイパーゴムを浮かせて作動させる部分。
【発明の詳細な説明】
【技術分野】
【０００１】  この発明は、圧縮空気圧力を利用したワイパー装置に関するものである。
【背景技術】
【０００２】  従来ワイパーはゴムで水をはき落とすしくみであった。
【先行技術文献】
【特許文献】
【０００３】
【特許文献１】特開２００２−３５６５７１号広報
【発明の概要】
【発明が解決しようとする課題】
【０００４】  これは、次のような欠点があった。
従来、撥水処理を施したガラスにワイパーを使用すると、ゴムの摩擦抵抗により雨水をはきおとすのといっしょに、撥水コート剤をはき落としてしまうため、すぐに撥水効果が低下してしまい、頻繁に撥水コート剤の塗り直しをするという手間がかかる事が多かった。
本発明は、以上のような欠点をなくすためになされたものである。
【課題を解決するための手段】
【０００５】  ワイパーゴム土台（１）に、ワイパーゴムはけ（２）を円周状に配置し、ワイパーゴム土台（１）に穴（３）をあけ、その穴を通じ空気だまり（６）にエアーホース（４）を使いコンプレッサー（５）にて圧縮空気を送り込む。
本発明は、以上の構成よりなる圧縮空気式ワイパーである。
【発明の効果】
【０００６】  ワイパー作動時コンプレッサー（５）によるエアー圧力によりワイパーはけ（２）と、ガラス面のすきまから常に空気が漏れ出ることにより、ワイパーはけ（２）が完全に空中に浮かぶためガラス面（６）との接触抵抗が全くなく、雨水のみ吹き飛ばす事ができる為、撥水コート剤をはき落として撥水効果を低下させることがない。
【図面の簡単な説明】
【０００７】
【図１】本発明の断面図である。
【図２】本発明の斜視図である。
【図１】
2014159259.tif 000003
【図２】
2014159259.tif 000004
(57)【要約】【課題】従来のカラスネットは簡単にカラスにネットをめくられてしまうため、中のゴミを撒き散らす散乱被害が多く、ネットとしての役割を果たしきれていなかった。  本発明は、カラスが中のゴミを撒き散らすことができないカラスネットを提供する。【解決手段】カラスネットの外側に重量のある枠体を設けることによってカラスがネットを開けないようにするカラスネット。また半分で折れる構造をとることによってゴミの出し入れも支障のないようにするカラスネット。【選択図】図１
2014159333.tif 000002
【特許請求の範囲】
【請求項１】
カラスネットに枠体を設け、半分に折りたためることのできる枠付カラスネット
【請求項２】
カラスネットに枠体を設け、ストッパーにより垂直置きもできる請求項１の枠付カラスネット。
【発明の詳細な説明】
【技術分野】
【０００１】  本発明は、ゴミ収集場所におけるカラスよけの網に関するものである。
【背景技術】
【０００２】  自治体によって収集場所の形態は異なるが、ゴミ収集場所において、カラス等の鳥獣のエサ探しによる生ゴミの散乱被害を防ぐため、ネットをかぶせていた。
【発明の概要】
【発明が解決しようとする課題】
【０００３】  従来のネットはカラスが簡単にネットをはがし、ゴミ袋を開けてゴミを散乱させるため、ゴミ収集場所でカラス被害によるゴミ清掃が必要となり、手間がかかっていた。
本発明は、以上の問題点を解決するためになされたものである。
【課題を解決するための手段】
【０００４】  木材等の重量のある素材によってカラスネットの外側に枠を設け、地面や壁とネットの接着を緊密にし、また枠の重量によってカラスがネットを開くことができず、中のゴミに触れることができないようにする。
以上の構成による枠付のカラスネット。
【発明の効果】
【０００５】  従来カラス被害によるゴミ収集場所の生ゴミ等の散乱を本発明により防ぐことができ、清掃等の手間が発生しなくなる。
本発明は、地面に平型でネットを設置する形態と、壁にかけるように垂直にネットを設置する形態と両方のネットの張り方に対応している。
【図面の簡単な説明】
【０００６】
【図１】  本発明の平型設置状態の斜視図
【図２】  本発明の垂直設置状態の斜視図
【発明を実施するための形態】
【０００７】  以下、本発明の実施の形態を説明する。
長方形の四辺のうち長辺一辺が開放した平面上の一対の枠体（１）をヒンジ部（２）により固定し、開閉が可能とさせる。枠体（１）はカラスが持ち上げることが困難である最外形一辺が２ｃｍ以上の太さが好ましい。また使用の際に持ち上げるのに女性でも重さを苦にしない程度の重量の材質が望ましい。
それぞれの枠体（１）を覆うようにネット（３）を被せ、結束バンド等を使用してネットをそれぞれの枠体（１）に固定する。ネット（３）は、ある程度の大きさ、すなわち枠体（１）よりもゴミを収納できる大きいサイズである。
枠体（１）の折れ曲がった短編部分の外側にさらに同程度の枠体数センチのものを横に取り付け、そこにストッパー（４）を取り付ける。ストッパー（４）は垂直にネット（３）を置いたときに縦部分が倒れないように設置する。
枠体の長辺地面前面部分に持ち上げるための取っ手（５）を設置する。
本発明は以上のような構造である。
【０００８】  本発明の使用方法は２種類ある。
まず、ネット（３）を平面に設置するときは、そのままヒンジ部（２）が上になるように設置し、広げた状態で設置する。前方に取っ手が来るように置き、ゴミを入れる場合は取っ手（５）を持って持ち上げる。半分だけネット（３）が開いた状態でゴミ袋をネット（３）内に入れ、入れた後は元の状態に戻す。平面設置の場合はストッパー（４）は使用せず、たたんだ状態とする。
次にネット（３）を垂直に壁に設置する場合は、ヒンジ部（２）が壁と地面の接着点にあたるように垂直に折れ曲がった状態で設置する。その際ストッパー（４）を地面に出して、壁面部分のネットが倒れないようにする。ゴミを入れるときは取っ手を持って地面部分を持ち上げ、中にゴミを挿入する。
【０００９】  清掃業者がゴミを回収する際は平面設置、垂直設置ともに取っ手部分（５）を持ち上げ、入れたときと逆に中のゴミを取り出して回収する。
ゴミ収集日でなく使用しない場合は、ヒンジ部（２）によって半分に折りたたみ、壁に立てかける。平面使用の場合、片付ける必要がなければ、平面設置したままの状態でおきっ放しにしてもかまわない。
【符号の説明】
【００１０】    １枠体、２ヒンジ部、３ネット、４ストッパー、５取っ手
【図１】
2014159333.tif 000003
【図２】
2014159333.tif 000004
(57)【要約】      （修正有）【課題】屋上に貯留した雨水を用いた水力発電システムにおいて、発電機へ供給する雨水の水路口を、安全に安価で簡単に自動的に圧力排水する自動弁を提供する。【解決手段】屋上に貯留した雨水が、設定した水位になると浮力で浮上するべく、体積と重量を設定する。弁は円形あるいは多角形環状の主弁１と補助弁２とからなり、雨水より比重が小さい材料で製作するか、もしくは内部に空洞を設けることで、弁体の比重を０．１以上１．０未満に設定する。補助弁２は主弁１の外周上に設置し、遮水板２−１とこれを浮動させる突起状浮動体２−２とからなり、突起状浮動体２−２の外周には雨水水面の波動による弁開閉の誤作動を防止する防波板５を有する。また遮水板２−１は自体の浮動を開始する水位を設定するためと、主弁１に直接水圧がかかれば、自体の重量と水圧の関係によっては設定水位以下で浮動するのでこれを防止する。【選択図】図１
2014125875.tif 000002
【特許請求の範囲】
【請求項１】
ビルなどの屋上に降った雨水を排水する排水管に設置する自動開閉弁であって、屋上に貯留した雨水の水位に応じて上下する弁と、排水管に挿入し弁の上下のみの動作を可能とする弁案内枠とからなり、弁は円形あるいは多角形環状の主弁と補助弁とからなり、雨水より比重が小さい材料で製作するか、もしくは内部に空洞を設けることで、弁体の比重を０．１以上１．０未満に設定する。
補助弁は主弁の外周上に設置し、遮水板とこれを浮動させる突起状浮動体とからなり、突起状浮動体の外周には雨水水面の波動による弁開閉の誤作動を防止する防波板を有する自動開閉弁。
【発明の詳細な説明】
【技術分野】
【０００１】  屋上に貯留した雨水を用いた水力発電システムにおいて、発電機へ供給する雨水の水路口を水位に応じて自動的に開閉する自動弁に関する。
【背景技術】
【０００２】  ビル屋上に溜った雨水を利用した水力発電装置は種々ある。例えば、特許文献１では屋上の貯水槽に雨水が溜った状態で開閉バルブを開けている。また例えば、特許文献２では縦樋の途中に集水濾過槽を設けることで流量を調節している。しかし、これらの先行技術では、いずれも、貯留槽に雨水を貯留したのち開閉バルブを開けるか、もう一度貯留槽を通している。
この場合の開閉バルブの操作は、人力または電動が考えられる。
【先行技術文献】
【特許文献】
【０００３】
【特許文献１】特開２０１０−１６９００６
【特許文献２】特開２０１１−１７１９６
【特許文献３】実用新案登録第３１１９８５１号
【発明の概要】
【発明が解決しようとする課題】
【０００４】  先に示した特許文献１では、雨水を貯留槽にためて、雨水を発電機に供給するバルブの開閉操作を人力あるいは、水位を監視しながら設定した水位でバルブの開閉を行なう制御システムと動力、通信系が必要となり、人手、設備、メンテナンス、感電や漏電対策が必要になり、発電原価が非常に高くなるという課題がある。
【課題を解決するための手段】
【０００５】  屋上に雨水を貯留し、また発電機に供給するための水路に取り付けた開閉弁を、貯留した雨水の水位に応じて自動的に開閉可能とする。
即ち、屋上に貯留した雨水が、設定した水位になると浮力で浮上するべく、体積と重量を設定する。
弁は円形あるいは多角形環状の主弁と補助弁とからなり、雨水より比重が小さい材料で製作するか、もしくは内部に空洞を設けることで、弁体の比重を０．１以上１．０未満に設定する。
補助弁は主弁の外周上に設置し、遮水板とこれを浮動させる突起状浮動体とからなり、突起状浮動体の外周には雨水水面の波動による弁開閉の誤作動を防止する防波板を有する。また遮水板は自体の浮動を開始する水位を設定するためと、主弁に直接水圧がかかれば、自体の重量と水圧の関係によっては設定水位以下で浮動するのでこれを防止する。【０００６】  弁の中心部は排水管と同径のパイプになっており排水管本来の機能を維持する。【０００７】  弁は構造が堅牢・単純で安価に大量生産できる。
【発明の効果】
【０００８】  屋上の雨水を開閉バルブや貯水槽・電動弁等の設備をすることなく、安全に安価で簡単に自動的に圧力排水することにより、高層建物の排水管による雨水発電を実用化して、再生可能エネルギーの活用に多大な貢献をすることができる。
【図面の簡単な説明】
【０００９】
【図１】本発明弁の配水管挿入時縦断面図
【図２】図１におけるａ−ａ部の下方向横断面図
【発明を実施するための形態】
【００１０】  主弁及び補助弁は、排水管の呼び径毎に製作する。補助弁の浮動開始水位は主弁本体の沈み代を考慮して「主弁浮上時の流入口面積＞排水管断面」の条件を満たすように決める。
排水管が呼び径４００のＰＶＣ管の場合、内径が３９．５センチメ−トルであるので直径はＤ＝１０センチメートルになる。  したがって断面積はＳｐ＝πｘＤｘＤ／４＝３．１４ｘ１０ｘ１０／４＝７８．５センチメートルとなる。また、流入口面積Ｓｅ＝管内径ｘ主弁浮上高さから、主弁浮上高さは７８．５／３９．５＝１．９８センチメートル以上となる。これに主弁本体の沈み代を０．５２センチメートルと仮定しプラスして、２．５センチメートルの水位設定にする。
【符号の説明】    １主弁
２補助弁
２−１遮水板
２−２突起状浮動体
３主弁案内枠
４補助弁浮動開始水位
５防波板
６排水管
７屋上床面
【図１】
2014125875.tif 000003
【図２】
2014125875.tif 000004
(57)【要約】【目的】はしごに雪樋の機能を持たせる事で雪処理資材の簡素化と従来品より軽量、かつ安価に従来品より高い滑り性、取扱い性を発揮できる。【選択図】図１
2014125876.tif 000002
【特許請求の範囲】
【請求項１】
雪下ろしや、処理に必需品ともいえるはしごに、専用取付金具を用いスベリ材としてのポリカ波板［図１］や板を固定して滑り用シートを敷き［図２］雪を滑らせ移動するもの。
【請求項２】
はしごにポリカ波板や滑り用シート、及び板を固定するのに、容易に固定できる専用取付金具を装着すること。
【発明の詳細な説明】
【発明の詳細な説明】
本発明は、雪をポリカ波板やシートで滑らせ、屋根から雪を落としたり、流雪溝に流すもので、従来、専用に製作していた雪樋を専用取付金具を用いる事ではしごに同様の機能を持たせ、作業資材の簡素化と雪樋としての性能向上（剛性の向上、軽量による取扱い性の向上）を図るもの。
【図面の簡単な説明】
【図１】ポリカ波板を専用取付金具ではしごに取り付けるもの。
【図２】板と滑り用シートを専用取付金具ではしごに取り付けるもの。
【図３】専用取付金具の拡大図
【符号の説明】１  はしご
２  専用取付金具
３  ポリカ波板
４  板
５  滑りシート
【図１】
2014125876.tif 000003
【図２】
2014125876.tif 000004
【図３】
2014125876.tif 000005
(57)【要約】【課題】  天然木の製炭を従来の窯一つで行うことは、どう頑張っても現状の時間待ちと歩留まりの悪さを克服することは困難である。また、勘と経験に頼る生産の為、樹種に対する対応が難しい。将来の後継者の減少を考えると人材の面から窯の量を簡単に増やすことが出来ないのである。【解決手段】  天然木の製炭工程を乾燥工程と炭化工程に完全に分ける事が効率化、炭化の柔軟性、時間短縮と品質向上に大きく貢献するのである。【選択図】図１
2014125633.tif 000002
【特許請求の範囲】
【請求項１】
天然木の製炭工程の乾燥と炭化を別々の炉と窯を設けて分けて行う。
以上の方法からなる製炭。
【発明の詳細な説明】
【技術分野】
【０００１】この発明は、天然木の炭焼きの工程を変えて効率と品質を改善するため、乾燥と炭化を分離することに関するものである。
【背景技術】
【０００２】従来、炭焼きはあまりにも長い間一連の炭化工程が大きく変化することなく乾燥と炭化工程が一つの窯の中で行われてきた。現在でもそのやり方は規模の大小はあっても黒炭、白炭生産現場では変わっていない。そのため、製品の安定化、効率化が進んでいない。また炭に対する供給、需要側の要望も変化してきており、現状の技術では対応が出来なくなりつつある。そこで乾燥と炭化工程を分離することでこの課題を発明で解決できる。
【発明の開示】
【発明が解決しようとする課題】
【０００３】これは、次のような欠点があった。
イ）  現状の天然木の炭窯は乾燥と炭化が一つの窯で連続して行うことになっているために、人の勘と経験で行う部分がほとんどだった。これでは炭が出てくるまで、品質と炭化の状態が分からないということになり、計画的な生産が出来ないことになる。成り行き任せという生産方法である。
ロ）  乾燥、炭化過程の数値的管理がなされてないため、一旦焚口から火を入れると人の手で調整が効くのは焚口の空気の量の調整だけである。そのため原料の天然木の乾燥具合の確認が確実にできない欠点がある。乾燥具合で炭化の善し悪しが左右され歩留まりも悪くなる。
ハ）  炭化の過程でも窯内の温度は成り行き次第的なところが多く、温度ムラもありといった、安定しない環境下での炭化になっている。この温度のムラをなくせば品質向上、時間の短縮もできるのである。
本発明は、以上のような欠点をなくすためになされたものである。
【課題を解決するための手段】
【０００４】乾燥と炭化を分離して、乾燥炉で天然樹種ごと乾燥度合いの数値管理をする。
乾燥の終ったものは時間を置かずに炭化窯に入れ、温度管理をして炭化を行う。
【発明の効果】
【０００５】  乾燥工程を分離することで、乾燥の度合いをコントロール出来その結果、炭化した後の硬度をある程度希望する硬さにすることが出来る。
乾燥は乾燥の為の炉を使用するので乾燥のムラを無くし平均的な乾燥状態を実現できる。その為炭化後の歩留まりと品質の安定化が望める。
炭化は炭化専用の窯となるため気密性と断熱性に優れた構造が採用でき、しかも窯の高温度状態を維持できるため、連続稼働が可能で低コスト化が期待できる。
【発明を実施するための最良の形態】
【０００６】以下、本発明を実施するための最良の形態について説明する。
伐採後の天然木（１）乾燥炉に桟積みされた天然木（２）に乾燥炉中で熱風ファン（４）で風を送り目標の乾燥値になるよう温度・湿度計（５）のデータから制御器を介して熱風ファンと換気孔（３）をコントロールする。
乾燥の終了した天然木（８）は炭化窯（９）に速やかに桟積みして高温で炭化工程に進む。窯内の温度状況は複数の温度計（１０）により表示器（１１）に示されることになっている。これにより炭化の進行状況が読み取れる。
【図面の簡単な説明】
【０００７】
【図１】温度、湿度管理の出来る乾燥炉  低温乾燥炉として使用する。
【図２】高い断熱性と高温対応の耐火レンガの炭化窯  耐熱１２００℃以上。
【符号の説明】
【０００８】１    天然木
２    乾燥炉内の天然木
３    吸排気筒
４    熱交換器とファン
５    温度・湿度計
６    乾燥炉
７    炉内制御器
８    乾燥した天然木
９    炭化窯
１０  温度計
１１  ３点温度表示器
【図１】
2014125633.tif 000003
【図２】
2014125633.tif 000004
(57)【要約】【課題】キッチンでは、揚げ物を何度かしていると、アルミのパネルが、ゴテゴテに、なってしまって捨てるのももったいないから、洗って使っていた。【解決手段】  三角の箱に、紙を巻いたロールを入れ、隙間から紙を出し、いっきに、パネルの端まで持っていき、三か所のテープの所を押さえ油はねを防止するパネルを、立てて使用します。使い終わったら、点線で切れるので、切って捨ててもいいし、あげものを、のっけてもよい。揚げ物が、終わったら折りたたんで、本のケースのように、立てて収納できる調理用油飛散防止具である。【選択図】図１
2014157003.tif 000002
【特許請求の範囲】
【請求項１】
長尺の容器の長手方向の１辺に隙間を設け、その容器の他の長手方向の１辺から延伸びするパネル（７）を設け、前記パネル表面には、等間隔に複数の粘着面が設けられ、その容器内にロール状の紙を収納したことを特徴とする調理用油飛散防止具。
【発明の詳細な説明】
【技術分野】
【０００１】本発明は、調理の際、油を他の場所に飛ばさない、紙を巻いたロールで、油を吸い取り、最小限の油はねを防止する調理用油飛散防止具に関するもである。
【背景技術】
【０００２】従来、キッチンでは、油が飛ぶので、アルミのパネルを、囲い防止していた。
【先行技術文献】
【特許文献】
【０００３】
【特許文献１】
【発明の概要】
【発明が解決しようとする課題】
【０００４】キッチンで、何度も油もの調理した時アルミのパネルは汚れて、ゴテゴテになって、何度か洗剤で洗い、ダメになると買い替える。
本発明は、以上の問題点を解決するためになされたものである。
【課題を解決するための手段】
【０００５】長方形板状のパネルの長手方向の一端を、折り曲げて頂部に隙間を設けた容器を形成し、容器の中に、点線を設けた紙のロールを収納し、パネルの上面の３ヶ所に粘着面を設け、３か所に折り目を設けて組み立て、本ケースに指入れを設けたことを特徴とする調理用油飛散防止具。
【発明の効果】
【０００６】油はね防止するパネルに、紙が、ついていて、油が跳ねても、紙が吸いっとって、従来のように、洗剤などでパネルを、がんばって洗うこともなく、紙を点線で、切り取り、汚れもなく、本のケースのように、片付けられるためキッチンが、すっきりする。
【図面の簡単な説明】
【０００７】
【図１】本発明組み立て前の斜視図
【図２】本発明の斜視図
【図３】本発明の組み立て途中の斜視図
【図４】本発明の折りたたんだ状態の平面図
【図５】本発明の折りたたんだものを、本のケースに収納する状態を示した図
【発明実施するための形態】
【０００８】以下本発明の実施の形態を説明する。
長尺の容器（４）の長手方向の１辺に隙間（６）を設け、その容器の他の長手方向の１辺から延伸するパネル（７）を設ける。パネル表面には、等間隔に複数の帯状の粘着面（８）が短手方向に設けられている。この長尺の容器は、三角形状の立方体形状が最も好ましい。
【０００９】等間隔に点線（２）を設けられた、ロール状に巻かれた紙（１）は、ロール表面はよく油を吸い取る紙で裏は粘着面との取り外しがよいビニールとする、前記容器内に収納する
本発明は以上のような構造である
【００１０】本発明を使用するときは
紙を巻いたロールを長尺の容器に入れフタを締め、隙間から紙を出し、パネルの端までもっていき、粘着面に押さえ付ける、パネルを立てて、ＩＨ、又はガス台に置いてある、油鍋を囲み揚げ物をする、終わったら、紙を点線で切って捨ててもいいし、揚げ物をのっけてもよい。揚げ物が終わったら、折り目で折っていきたたんで、本ケースのように立てて収納できる。
【符号の説明】
【００１１】１紙  ２点線  ３ロール  ４容器  ５フタ  ６隙間  ７パネル  ８粘着面  ９折り目
１０本ケース  １１指入れ
【図１】
2014157003.tif 000003
【図２】
2014157003.tif 000004
【図３】
2014157003.tif 000005
【図４】
2014157003.tif 000006
【図５】
2014157003.tif 000007
(57)【要約】【課題】従来の懐中電灯は．電球の光が前方のみ明るく照射していたが．下方の足元は暗く．水溜りがあっても見えなくて入ってしまったり．石につまずいて転んだりした。【解決手段】本発明は．正面と電球付近の下面部分に．光を透すガラス等を取り付け．前方と足元に電球の光が照射出来る様にした。その結果足元も明るく．安心して歩く事が出来る。【選択図】図１
2014157802.tif 000002
【特許請求の範囲】
【請求項１】
本発明は．正面と電球付近の下面部分に．光を透すガラス等を取り付ける事により．電球の光が前方と足元に照射出来るようにした前方と足元照射の懐中電灯。
【発明の詳細な説明】
【技術分野】
【０００１】本発明は．電球の光を前方と足元に照射する．前方と足元照射の懐中電灯に関する。
【背景技術】
【０００２】従来の懐中電灯は．電球の光を前方のみ照射するものである。
【発明の概要】
【発明が解決しようとする課題】
【０００３】しかしながら従来技術は．下方に電球の光を照射出来なく．足元が暗くて見えないという課題がある。
【課題を解決するための手段】
【０００４】上記の課題を解決するために．本発明は電球付近の下面部分に．光を遮断する素材ではなく．ガラス等を取り付ける事により光を透すようにした。
【発明の効果】
【０００５】本発明は．電球付近の下面部分に前面と同様にガラス等を取り付けた事により．光がガラス等を透り抜け．下方も照射し足元が明るく．安全に歩ける効果を奏する。
【図面の簡単な説明】
【０００６】
【図１】本発明の実施形態を示す．前方と足元照射の懐中電灯を側面から見た．部分外観図である。
【図２】本発明の実施形態を示す．前方と足元照射の懐中電灯の正面図である。
【発明を実施するための形態】
【０００７】本発明において。電球４．が点灯した場合．前方は正面ガラス１．を透り抜け照射し．下方は下面ガラス２．を透り抜け足元を照射する。
【符号の説明】
【０００８】１．  正面ガラス
２．  下面ガラス
３．  本体
４．  電球
５．  電池
【図１】
2014157802.tif 000003
【図２】
2014157802.tif 000004
(57)【要約】【課題】本発明は、照明器具への電源装置（トランス）の設置を行う際に、電源装置をカートリッジ式にし、かつ照明器具側も当該カートリッジ式電源を設置可能な機能を保有させることで、配線工事を要すること無く、容易にかつ安全に当該電源の着脱が行える仕組みを提供する。【解決手段】交換対象の電源（トランス）をカートリッジ式とすることで、電気工事士等の有資格者でなくても、容易にかつ安全に、電源交換の作業を行うことを可能とし、交換作業の効率化を図ることが出来る。【選択図】図１
2014220219.tif 000002
【特許請求の範囲】
【請求項１】
カートリッジ式電源を設置することが出来る機能が設けられている照明器具であって、当該装置に設置可能な形状を保有した着脱が容易なカートリッジ式電源と共に、一体となって電源装置として機能するもの。なお、ここで言う電源とは、トランスを含む電源装置である。
【請求項２】
請求項１に記載の照明器具側と、カートリッジ式電源側の接合箇所は、交流及び直流電源それぞれの１次側及び２次側に分けられた配線構造を継承した口金等で構成されている嵌合機能を保有した装置である。
【請求項３】
請求項１に記載のカートリッジ式電源は、取っ手もしくは指の引っ掛け等の、当該カートリッジ式電源の着脱を円滑に行える機能を保有したものである。
【請求項４】
請求項１に記載の照明器具にあって、カートリッジ式電源を設置する箇所は、軸による駆動で、カートリッジ式電源を設置する箇所の角度を変更させることが出来、当該カートリッジ式電源の着脱を容易に行える機能を保有したものである。
【請求項５】
請求項４に記載の軸による駆動部自体が、カートリッジ式電源の収納に際しての蓋の機能を保有し、かつ当該蓋が照明器具にネジ式またはダイヤル式の嵌合部を保有して容易に落下することを防止する機能を保有したものである。
【請求項６】
１次側及び２次側それぞれの設置方向を誤らない様に、カートリッジ式電源及び照明器具側の口金箇所を台形の形状にしたものである。
【発明の詳細な説明】
【技術分野】
【０００１】本発明は、普及の捗々しいＬＥＤ照明等の外部設置電源をカートリッジ式とすることで、容易に電源の着脱が可能となり、電気工事士資格を保有しない者であっても、安全にこれを交換可能とさせるものである。
【背景技術】
【０００２】
【０００３】
【特許文献】特許公開平１０−１０７９６１及び特許公開２０１３−５０８２５
【発明の概要】
【発明が解決しようとする課題】
【０００４】  電源をＬＥＤ照明本体に内蔵しないタイプのＬＥＤ照明にあっては、別途電源の設置を要するところ（外部設置電源）、これまで一度設置したあとであっても、電源交換を行う際は、電気工事士等の有資格者による配線工事を伴う作業が必要であり、その作業に於いても、別途費用がかかるという課題があった。
【課題を解決するための手段】
【０００５】  本発明による交換対象の電源をカートリッジ式とすることで、電気工事士等の有資格者でなくても、容易にかつ安全に、電源交換の作業を行うことを可能とし、本課題を解決するものである。
【発明の効果】
【０００６】  交換作業の効率化、及び低コスト化が可能となり、特に近年導入の著しいＬＥＤ照明の普及にも繋がることが期待できる。
【図面の簡単な説明】
【０００７】
【図１】逆富士型照明器具を、真下及び真横から見た図である。照明器具の側面に、電源収納ボックス兼蓋を設け、これにカートリッジ式の電源を設置する模様の図である。
【図２】電源設置ボックスの口金箇所、及びカートリッジ式電源の設置口金箇所の図である。
【発明を実施するための形態】
【０００８】
【実施例】
【０００９】外部設置電源を、カートリッジ式とするために、当該カートリッジ式電源側、及び照明器具側カートリッジ式電源収納側を着脱可能な仕様と化し、本発明を実施する。
【産業上の利用可能性】
【０００１０】現状多く流通している本体分離型電源を、照明メーカーが会員となる任意団体を中心とした運動により、本発明を規格化標準化することで、およそ外部設置電源を採用している全ての照明器具に対して、応用が可能となる。
【符号の説明】
【０００１１】１：照明器具側のオス口金に、カートリッジ式電源を設置した模様。
２：カートリッジ式電源の設置ボックスは、蓋の役割も担っており、軸駆動によって、設置ボックス兼蓋自体が、着脱時に一定の範囲で開閉出来る仕組みとする。
３：設置ボックス兼蓋の模様。落下防止として嵌合仕様とする。
４：軸駆動を拡大表示した図である。
５：交流１次側の電極の模様である。（メス口金）
６：直流２次側の電極の模様である。（メス口金）
７：照明器具側の電極ピンである。それぞれ交流１次側と２次側に分ける。（オス口金）
８：カートリッジ式電源本体である。
９：照明器具側の口金である。１次側及び２次側それぞれの設置方向を誤らない様に、カートリッジ式電源及び照明器具側の口金箇所を台形の形状にする。
【図１】
2014220219.tif 000003
【図２】
2014220219.tif 000004
(57)【要約】【課題】磁力が弱いと発電力も弱く、発電側を鉄芯にコイルを巻くと磁気トルクによって大動力が必要だった。【解決手段】モーターにシャフトを設け、シャフトに磁石の付いた円板を設け、磁石と対面する磁石の間に、鉄芯にコイルを巻かないコイルを設けたことを特徴とする円板発電機。【選択図】図１
2014220979.tif 000002
【特許請求の範囲】
【請求項１】
モーターのシャフトに、そのシャフトを共有する形で、直径２３ｃｍの複数の円板を並べて設置し、円板にはできるだけたくさんの磁石を設置するが、Ｎ−Ｓ−Ｎ−Ｓという具合に交互に配置し・且つ円板の両面を貫通して・板面から約１ｃｍ突き出る形で設置するのであり、この約１ｃｍ突き出た磁石に、Ｎ−Ｓを１ブロックとするブロック毎に、鉄芯に巻かないコイルを約６０回巻き、このコイルはメーターに繋がるのであって、このように配設され、対面する円板上にあって・対面する磁石相互の距離間隔が約２ｃｍとなる形で、円板が必要に応じて幾層にも重ねて設置されを特徴とする円板発電機。
【発明の詳細な説明】
【技術の分野】
【０００１】  本発明は、特別の燃料を使わず、磁力を利用する円板発電機に関するものである。
【背景技術】
【０００２】  従来磁石を鉄に吸いつかせ、磁石と鉄の間にコイルを設けた発電機があった。発電側を鉄芯にコイルを巻いた発電機があった。
【先行技術文献】
【発明の概要】
【発明が解決しようとする課題】
【０００３】  磁石を鉄に吸いつかせた発電機は、磁力線が弱くコイルも少ししか巻けない。そのため電気も少ししか発電しなかった。発電側を鉄芯にコイルを巻いてある発電機は、磁気トルクが起き、回転子は大動力が必要だった。
【課題を解決するための手段】
【０００４】  モーターのシャフトに、そのシャフトを共有する形で、直径２３ｃｍの複数の円板を並べて設置する。円板にはできるだけたくさんの磁石を設置するが、Ｎ−Ｓ−Ｎ−Ｓという具合に交互に配置し・且つ円板の両面を貫通して・板面から約１ｃｍ突き出る形で設置する。この約１ｃｍ突き出た磁石に、Ｎ−Ｓを１ブロックとするブロック毎に、鉄芯に巻かないコイルを約６０回巻き、このコイルはメーターに繋がる。このように配設され、対面する円板上にあって・対面する磁石相互の距離間隔が約２ｃｍとなる形で、円板が必要に応じて幾層にも重ねて設置される。これによるモーターの動力は、円板１枚当たり約１００Ｗである。
以上を特徴とする円板発電機である。
【発明の効果】
【０００５】  磁石と対面する磁石の磁力も強く、磁気トルクも少なく、小動力でも発電し、電気も多く取り出せる。
【図面の簡単な説明】
【０００６】
【図１】  本発明の斜視図
【発明を実施するための形態】
【０００７】  以下本発明の実施の形態について説明する。
モーター（１）のシャフト（６）に、そのシャフト（６）を共有する形で、直径約２３ｃｍの複数の円板（２）を並べて設置する。円板（２）にはできるだけたくさんの磁石（３）を設置するが、Ｎ−Ｓ−Ｎ−Ｓという具合に交互に配置し・且つ円板（２）の両面を貫通して・板面から約１ｃｍ突き出る形で設置する。この約１ｃｍ突き出た磁石（２）に、Ｎ−Ｓを１ブロックとするブロック毎に、コイル（４）を約６０回巻き、このコイル（４）はメーター（５）に繋がる。このように配設され、対面する円板上にあって・対面する磁石（３）相互の距離間隔が約２ｃｍとなる形で、円板（２）が必要に応じて幾層にも重ねて設置される。
本発明は以上のような構造である。
本発明を使用するときは、モーター（１）を回すとシャフト（６）が回り、円板（２）と磁石（３）も回り、磁石（３）の磁力線がコイル（４）を切り、メーター（５）に電気が流れる、磁石と対面する磁石の磁力も強く、磁気トルクも少なく、小電力でも発電し、多くの電力が取り出せる。
【符号の説明】
【０００８】１  モーター      ２  円板      ３  磁石      ４  コイル      ５  メーター
６  シャフト
【図１】
2014220979.tif 000003
(57)【要約】      （修正有）【課題】バック内のコーヒー粉溜りとカップ内底の落差を確保し、ドリップの本来の目的である灰汁、雑味を取り除くための濾過をする。【解決手段】このホルダーを折り畳めば、銀行等カードと同じサイズの１枚の複合カードである。使用するときは、カードに折り畳まれた２枚の支え板を対面するように垂直に起し、これを凹版２枚で両側を固定すれば組立完了となる。カップ８上に乗せて使用する。ホルダー２にドリップバッグ７を固定することで、従来の位置から更に上部ホルダーの固定位置に引き上げられるので、ドリップに必要な落差が確保できる。折り畳むと携帯に便利なカードになるコーヒードリップバッグ用ホルダー。【選択図】図７
2014176644.tif 000002
【特許請求の範囲】
【請求項１】
耐熱性に優れた材質で、カードサイズ平板２枚で構成された複合カードである。表面は支え板（３）と固定用凹板（５、６）を組み込み、その下２枚目には支え板（４）を組み込む。１枚目２枚目の周囲は接合されており、支え板と固定用凹板には垂直に立てられるように折りこみ溝が施してある。使用するときは、これを組み立てる。使用後はカード状に折り畳む。
使用するときは、支え板（３、４）そして固定用凹板（５、６）を垂直に起し、支え板側面の板厚に凹板がかみ合うように傾斜にて固定する。支え板上部にはコーヒーバッグの引っ掛け部が収まるように脱落防止の窪みが設けてある。
カードになるコーヒードリップバッグ用ホルダー。
【発明の詳細な説明】
【技術分野】
【０００１】この発明は、コーヒードリップバッグ用のホルダーに関するものである。
【背景技術】
【０００２】従来、コーヒードリップバッグはインアウトドアでお湯とカップさえあれば、簡単にドリップコーヒーが飲める携帯に優れたバッグである。使用方法は、カップの中にバッグを入れてバッグの両サイドに設けた引っ掛け部をカップの淵に掛けて固定し、バッグ上部の開口部からお湯を注ぐものである。
【先行技術文献】
【特許文献】
【０００３】
【特許文献１】
【発明の概要】
【発明が解決しようとする課題】
【０００４】これは、次のような欠点があった。
従来、コーヒードリップバッグは、カップとお湯さえあれば何処でもドリップコーヒーが飲める便利さがある。しかしドリップに関しては、バッグ内のコーヒー粉溜りとカップ内底が近い、つまり落差が無い為に、お湯を注ぐにつれてバッグはどっぷり浸かる構造になる。ドリップする目的は、できるだけ美味しいコーヒーを飲みたい願望過程の中で、最初にバッグ開口部の中心にお湯を注ぎ蒸らして、又中心から内壁除く内側へ回し注ぐとある。決して内壁には注がないようにする。これは、バッグの内壁側にコーヒー灰汁、雑味が付着されバッグの外に出ないように考えられた濾過方法である。つまりドリップバッグは、どっぷり浸かった状態では逆流しこのバランスが崩れ濾過の役目を果たさない。
本発明は、以上のような欠点をなくすためになされたものである。
【課題を解決するための手段】
【０００５】本発明のコーヒードリップバッグ用ホルダーは、折り畳めば銀行等カードと同じ１枚の複合カードである（図１）。使用するときは、カードに折り畳まれた２枚の支え板を対面するように垂直に起し、これを凹板２枚で両側を固定すれば組立完了となる（図２）。カップ上に乗せて使用する。
【発明の効果】
【０００６】カードの状態から組み立てたコーヒードリップバッグ用ホルダーを、カップ上に乗せます。このホルダーにドリップバッグを固定します。バッグの固定位置は、従来のカップへの固定位置から更に上部ホルダーの固定位置に引き上げられるので、バッグ内のコーヒー粉溜りとカップ内底への落差は大きくなり、ヘッド圧も大きくなるので濾過するスピードも上がる。濾過率も上がる効果がある。使用後はカード状に折り畳めるので携帯に便利である。
【図面の簡単な説明】
【０００７】
【図１】本発明のカード状に折り畳んだ斜視図
【図２】本発明の組立後の斜視図
【図３】本発明の組立後にコーヒードリップバッグを固定した斜視図
【図４Ａ】本発明のカード状に折り畳んだ側面図
【図４Ｂ】本発明のカード状に折り畳んだ上側平面図
【図４Ｃ】本発明のカード状に折り畳んだ下側平面図
【図５Ａ】本発明の組立後の平面図
【図５Ｂ】本発明の組立後の５Ｂ側面図
【図５Ｃ】本発明の組立後の５Ｃ側面図
【図６】従来のカップにコーヒードリップバッグを固定した正面図
【図７】本発明のカップ上のホルダーにコーヒードリップバッグを固定した正面図
【発明を実施するための形態】
【０００８】以下、本発明を実施するための形態について説明する。
耐熱性に優れた材質で、カードサイズ横８５縦５４ミリの平板２枚で構成される複合カードである。表面は支え板（３）と固定用凹板（５、６）を組み込み、その下２枚目には支え板（４）を組み込む。１枚目２枚目の周囲は接合されており、支え板と固定用凹板には垂直に立てられるように折りこみ溝が施してある。使用するときは、これを組み立てる。使用後はカード状に折り畳むが、１枚目と２枚目の間に微弱な磁力を付加して収納性を考慮した構造である。磁力の代わりに凹凸を付加してもよい。
使用するときは、支え板（３、４）そして固定用凹板（５、６）を垂直に起し、支え板側面の板厚に凹板がかみ合うように傾斜にて固定する。支え板上部にはコーヒーバッグの引っ掛け部が収まるように脱落防止の窪みが設けてある。
本発明は、以上のような構造である。
これを使用するときは、このホルダーをカップ上に乗せて使用する（図７）
【符号の説明】
【０００９】１  カード
２  カードになるコーヒードリップバッグ用ホルダー
３  支え板
４  支え板
５  固定用凹板
６  固定用凹板
７  コーヒードリップバッグ
８  カップ
【図１】
2014176644.tif 000003
【図２】
2014176644.tif 000004
【図３】
2014176644.tif 000005
【図４Ａ】
2014176644.tif 000006
【図４Ｂ】
2014176644.tif 000007
【図４Ｃ】
2014176644.tif 000008
【図５Ａ】
2014176644.tif 000009
【図５Ｂ】
2014176644.tif 000010
【図５Ｃ】
2014176644.tif 000011
【図６】
2014176644.tif 000012
【図７】
2014176644.tif 000013
(57)【要約】【課題】従来の技術では耳に固定することができても好みのイヤホンの品質を得られない、もしくは好みの品質であっても激しい動作になると動きを制限されることがあった。  本発明は、好みのイヤホンを耳かけに付けた固定部位により耳に固定するための器具を提供する。【解決手段】耳かけの耳穴側に形状調整可能でイヤホンを包みこむ様に固定する腕状及び皿状のイヤホン固定部位をつけたイヤホン固定器具。【選択図】図１
2014176078.tif 000002
【特許請求の範囲】
【請求項１】
耳かけの耳穴側に形状調整可能でイヤホンを包みこむ様に固定する皿状のイヤホン固定部位をつけたイヤホン固定器具。
【請求項２】
耳かけの耳穴側に形状調整可能でイヤホンを包みこむ様に固定する腕状のイヤホン固定部位をつけたイヤホン固定器具。
【発明の詳細な説明】
【技術分野】
【０００１】  本発明は、好みのイヤホンを耳に固定する器具に関するものである。
【背景技術】
【０００２】  従来、イヤホンを耳に固定する方法として、耳かけと一体となったものや、カナル型のもので耳の穴に差し込んで使用するもの、またイヤホンを耳に固定する先行技術（特許文献参照）がある。
【先行技術文献】
【特許文献】
【０００３】
【特許文献１】特許公開２００７−１４３０８７
【特許文献２】特許公開２００６−２７０９０７
【非特許文献】
【０００４】
【非特許文献１】実用新案出願平８−３５９９
【非特許文献２】実用新案出願平８−４０４３
【発明の概要】
【発明が解決しようとする課題】
【０００５】  しかしながら従来の技術では耳に固定することができても好みのイヤホンの品質を得られない、もしくは好みの品質であっても激しい動作になるとイヤホンが外れ動きを制限されることがあった。
本発明は、以上の問題を解決するためになされたものである。
【課題を解決するための手段】
【０００６】  耳かけの耳穴側に形状調整可能でイヤホンを包みこむ様に固定する皿状のイヤホン固定部位をつけたイヤホン固定器具。【０００７】  耳かけの耳穴側に形状調整可能でイヤホンを包みこむ様に固定する腕状のイヤホン固定部位をつけたイヤホン固定器具。
【発明の効果】
【０００８】  本発明は好みのイヤホンを耳かけの耳穴側につけた形状調整可能なイヤホン固定部位により、イヤホン本体を抱え、イヤホンのスピーカー部分を外側から押さえ、耳に固定するものである。
【図面の簡単な説明】
【０００９】
【図１】本発明の斜視図
【図２】本発明のイヤホン固定部位内側の斜視図
【図３】本発明のイヤホン固定部位内側の使用状態を示す斜視図
【図４】本発明の使用状態を示す斜視図
【発明を実施するための形態】
【００１０】  以下、本発明の実施の形態を説明する。
耳かけ（１）の耳穴側に形状調整可能でイヤホンを包みこむ様に固定する腕状のイヤホン固定部位（２）をつけ、その先に形状調整可能でイヤホンを包みこむ様に固定する皿状のイヤホン固定部位（３）をつける。
本発明は以上のような構造である。
本発明を実施するときは、耳かけ（１）の耳穴側につけた形状調整可能でイヤホンを包みこむ様に固定する腕状のイヤホン固定部位（２）の腕部部分を曲げ、イヤホンのコードがついている本体（４）を包んで受けるように固定し、耳かけ（１）の耳穴側につけた形状調整可能でイヤホンを包みこむ様に固定する皿状のイヤホン固定部位をつけたイヤホン固定器具（３）の皿部分でイヤホンのスピーカー部分（５）を外側から包むように固定し、耳かけ（１）を耳にかけた後、各固定部位（２）（３）を微調整し、耳に固定する。
【符号の説明】
【００１１】  １  耳かけ、  ２  腕状のイヤホン固定部位、  ３  皿状のイヤホン固定部位、  ４  イヤホンのコードがついている本体、  ５  イヤホンのスピーカー部分
【図１】
2014176078.tif 000003
【図２】
2014176078.tif 000004
【図３】
2014176078.tif 000005
【図４】
2014176078.tif 000006
(57)【要約】【課題】ヘッドホン収納ケースは、外部からのホコリの進入を防ぐために扉を閉めた状態でコードレスタイプのヘッドホンを使用すると、トランスミッター送信機の熱が内部にこもって高温にさらされていた。内部にこもった熱を排出するために扉を開けた状態にして使用すると、外部からのホコリの進入にさらされてしまう。扉を閉めたままの状態で、内部にこもった熱を自然に排出させることは不可能であった。  本発明は、内部にこもった熱を扉を閉めたままの状態で、自然に排出させる熱排出用小穴付ヘッドホン専用収納ケースを提供する。【解決手段】  ヘッドホン収納ケース本体の背面に背面板を設け、下部にコード通し穴、コード通し穴の蓋を設ける。収納ケース本体の左右に側面板を設ける。収納ケース本体の上部に天井版を設ける。収納ケース本体の下部に底板を設ける。収納ケース本体の正面に正面扉、蝶つがい、取っ手を設ける。背面板と左右の側面板に無数の熱排出用小穴を設ける。【選択図】図１
2014176079.tif 000002
【特許請求の範囲】
【請求項１】
ヘッドホン収納ケース本体の背面に背面板を設け、下部にコード通し穴、コード通し穴の蓋を設け、ヘッドホン収納ケース本体の左右に側面板を設け、ヘッドホン収納ケース本体の上部に天井版を設け、ヘッドホン収納ケース本体の下部に底板を設け、ヘッドホン収納ケース本体の正面に正面扉、蝶つがい、取っ手を設け、背面板と左右の側面板に無数の熱排出用小穴を設けたことを特徴とする熱排出用小穴付ヘッドホン専用収納ケース。
【発明の詳細な説明】
【技術分野】
【０００１】  本発明は、ヘッドホンを収納して使用、又は保管するための熱排出用小穴付ヘッドホン専用収納ケースに関するものである。
【背景技術】
【０００２】  従来、コードレスタイプのヘッドホンは、ホコリや汚れから保護するために収納ケースに入れて使用すると、トランスミッター送信機の熱が収納ケース内部にこもり、高温にさらされていた。収納ケース内部の熱を排出するには、定期的に扉を開け閉めして換気をしたり、扉を開けたままの状態にして使用されていた。
なお、ヘッドホンをホコリや汚れから保護して保管する収納ケースとしてヘッドホン収納ケースが知られている（特許文献１参照）。
【特許文献１】特開  ２０１２−０１９４９５号公報
【発明の開示】
【発明が解決しようとする課題】
【０００３】  ヘッドホン収納ケースは、外部からのホコリや汚れの進入を防ぐために扉を閉めてコードレスタイプのヘッドホンを使用すると、トランスミッター送信機の熱が収納ケース内部にこもって高温にさらされていた。収納ケース内部にこもった熱を排出するためには、定期的に扉を開け閉めして換気をしなければならず、面倒な作業であった。又、扉を開けたままにして使用すると、外部からのホコリや汚れの進入にさらされてしまう。ヘッドホン収納ケースの扉を閉めたままの状態で、収納ケース内部にこもった熱を自然に排出させることは不可能であった。
本発明は、以上の問題点を解決するためになされたものである。
【課題を解決するための手段】
【０００４】  ヘッドホン収納ケース本体の背面に背面板を設け、下部にコード通し穴、コード通し穴の蓋を設ける。ヘッドホン収納ケース本体の左右に側面板を設ける。ヘッドホン収納ケース本体の上部に天井版を設ける。ヘッドホン収納ケース本体の下部に底板を設ける。ヘッドホン収納ケース本体の正面に正面扉、蝶つがい、取っ手を設ける。背面板と左右の側面板に無数の熱排出用小穴を設ける。
以上の構成よりなる熱排出用小穴付ヘッドホン専用収納ケース。
【発明の効果】
【０００５】  本発明は、従来不可能とされていたヘッドホン収納ケース内部にこもった熱の自然な排出を可能にし、ヘッドホン収納ケースの扉を閉めたままの状態で熱を排出できるので、面倒な扉の開け閉めによる換気や扉を開けたままでの使用を避けることができる。本発明の熱排出用の穴は、小さい穴なので、収納ケース内部の熱を排出し、収納ケース外部のホコリや汚れの進入は防ぐことができる。
【発明を実施するための最良の形態】
【０００６】  以下、本発明の実施の形態を説明する。
（イ）熱排出用小穴付ヘッドホン専用収納ケース本体（１）の背面に背面板（２）を設け      、下部にコード通し穴（３）、コード通し穴の蓋（４）を設ける。
（ロ）熱排出用小穴付ヘッドホン専用収納ケース本体（１）の左右に側面板（５）を設け      る。
（ハ）熱排出用小穴付ヘッドホン専用収納ケース本体（１）の上部に天井版（６）を設け      る。
（ニ）熱排出用小穴付ヘッドホン専用収納ケース本体（１）の下部に底板（７）を設ける      。
（ホ）熱排出用小穴付ヘッドホン専用収納ケース本体（１）の正面に正面扉（８）、蝶つ      がい（９）、取っ手（１０）を設ける。
（ヘ）背面板（２）と左右の側面板（５）に無数の熱排出用小穴（１１）を設ける。
本発明は、以上のような構造である。
本発明を使用する時は、背面板（２）の下部のコード通し穴の蓋（４）を外し、電源コード（１２）、音声コード（１３）を熱排出用小穴付ヘッドホン専用収納ケース本体（１）の外側からコード通し穴（３）に通し、収納ケース内部に入れる。正面扉（８）を開け、トランスミッター送信機（１４）を収納ケース内部に入れ、電源コード（１２）と音声コード（１３）をトランスミッター送信機（１４）の後部に接続する。トランスミッター送信機（１４）とコードレスヘッドホン（１５）を収納ケース内部の中央に設置し、後部に接続された電源コード（１２）、音声コード（１３）は、ほど良い長さに保たれた状態にし、コード通し穴（３）にコード通し穴の蓋（４）をはめ込んで固定させる。
コードレスヘッドホン（１５）を使用するときは、正面扉（８）を開けてトランスミッター送信機（１４）の電源を入れ、コードレスヘッドホン（１５）を収納ケースの外に取り出し、正面扉（８）を閉めてから使用する。コードレスヘッドホン（１５）の出し入れ時以外は正面扉（８）は閉めた状態にし、収納、保管する。
背面板（２）と左右の側面板（５）に設けられた無数の熱排出用小穴（１１）は、小さな穴なので、収納ケース内部に発生するトランスミッター送信機（１４）の熱は収納ケースの外部に排出し、収納ケース外部のホコリや汚れの収納ケース内部への進入は防ぐことができる。
【図面の簡単な説明】
【０００７】
【図１】本発明の斜視図
【図２】本発明の使用状態を示す斜視図
【符号の説明】
【０００８】  （１）熱排出用小穴付ヘッドホン専用収納ケース本体
（２）背面板
（３）コード通し穴
（４）コード通し穴の蓋
（５）側面板
（６）天井板
（７）底板
（８）正面扉
（９）蝶つがい
（１０）取っ手
（１１）熱排出用小穴
（１２）電源コード
（１３）音声コード
（１４）トランスミッター送信機
（１５）コードレスヘッドホン
【図１】
2014176079.tif 000003
【図２】
2014176079.tif 000004